(57)【要約】【課題】  メータ機器の見返しと表ガラスとの組み付け性を維持しつつ防塵性を向上させることができる係止構造を提供する。【解決手段】  内部に開口部２ａを有するメータ機器２の外周面に、アーム貫通孔７を有する係止受け部６を設け、開口部２ａを塞ぐよう組み付けられる表ガラス１の外周面に、撓み変形自在で、且つ、爪部４を有する弾性係止アーム３を設け、弾性係止アーム３をアーム貫通孔７に挿入し、爪部４がアーム貫通孔７を抜けた位置で弾性係止アーム３の撓み復帰変形により爪部４が係止受け部６に係止する係止構造において、係止受け部６には、アーム貫通孔７より突出した爪部４を覆う防塵用壁部８を設けた。【選択図】      図２
2006071361.tif 000002
【特許請求の範囲】
【請求項１】
ベース体と、前記ベース体に組み付けられる組付体とのいずれか一方の外周面に、アーム貫通孔を有する係止受け部を設け、他方の外周面に、撓み変形自在で、且つ爪部を有する弾性係止アームを設け、前記弾性係止アームを前記アーム貫通孔に挿入し、前記爪部が前記アーム貫通孔を抜けた位置で前記弾性係止アームの撓み復帰変形により前記爪部が前記係止受け部に係止する係止構造において、
前記係止受け部には、前記アーム貫通孔より突出した前記爪部を覆う防塵用壁部を設けたことを特徴とする係止構造。
【請求項２】
請求項１記載の係止構造であって、
前記防塵用壁部には、前記弾性係止アームの移動エリア内で、前記弾性係止アームが撓み変形する側に凹面を設けたことを特徴とする係止構造。
【請求項３】
請求項１又は請求項２に記載された係止構造であって、
前記防塵用壁部には、前記アーム貫通孔より突出した前記爪部を露出する爪開口部を設けたことを特徴とする係止構造。
【請求項４】
請求項１乃至請求項３記載のいずれか一項に記載された係止構造であって、
前記防塵用壁部は、前記爪部の裏面側に配置された裏面壁部と、前記爪部の両側の側面側に配置された一対の側面壁部と、前記爪部の先端側に配置された底面壁部とを備えたことを特徴とする係止構造。
【請求項５】
請求項１乃至請求項４記載のいずれか一項に記載された係止構造であって、
前記ベース体は、メータ機器の見返しであり、前記組付体は、前記見返しに装着される表ガラスであることを特徴とする係止構造。
【発明の詳細な説明】
【技術分野】
【０００１】
本発明は、例えばメータ機器を構成するケース、見返し、および表ガラスを相互に係止する係止構造に関し、特に、係止構造の箇所からメータ機器内に粉塵が侵入しないようにしたものである。
【背景技術】
【０００２】
この種の従来の係止構造として、例えば、図４に示すように、メータ機器を構成する見返し（アッパーハウジング）１００に表ガラス１０５係止する構造が知られている（類似する技術として、例えば、特許文献１および特許文献２参照。）。図４に示すように、見返し１００は、開口部１００ａを有し、この開口部１００ａを取り囲む外周壁１０１の適所には、アーム貫通孔１０２を有する係止受け部１０３が設けられている。表ガラス１０５は、見返し１００の開口部１００ａを塞ぐよう組み付けされる。この表ガラス１０５の周縁部には、撓み変形自在で、且つ先端に係止用の爪部１０６ａを有する弾性係止アーム１０６が設けられている。
【０００３】
見返し１００と、表ガラス１０５とを係止させるには、まず、表ガラス１０５の弾性係止アーム１０６を弾性撓み変形させつつ見返し１００のアーム貫通孔１０２に挿入させる。そして、弾性係止アーム１０６の爪部１０６ａがアーム貫通孔１０２を抜けると、弾性係止アーム１０６が撓み復帰変形して爪部１０６ａが係止受け部１０３に係止される。
【０００４】
これにより、見返し１００と表ガラス１０５とが組み付けされ、見返し１００の開口部１００ａが表ガラス１０５で塞がれる。また、弾性係止アーム１０６の爪部１０６ａが係止受け部１０３のアーム貫通孔１０２より下方に露出状態で突出しているため、作業者が爪部１０６ａを指等で押圧することにより容易に弾性係止アーム１０６を係止解除することができるようになっている。
【特許文献１】特開２００１−１５３６８７号公報（第１頁、図３）
【特許文献２】特開２０００−７４７０２号公報（第１頁、図１）
【発明の開示】
【発明が解決しようとする課題】
【０００５】
しかしながら、図４に示した従来の係止構造では、係止受け部１０３のアーム貫通孔１０２の幅Ｗを少なくとも弾性係止アーム１０６が弾性撓み変形しつつ通り抜けできる寸法とする必要がある。そのため、図４に示すように、爪部１０６ａが係止された状態のアーム貫通孔１０２には弾性係止アーム１０６の撓み変形側に隙間δが発生する。すると、図４に矢印Ａで示すように、粉塵が係止受け部１０３の下方からアーム貫通孔１０２の隙間δを通って係止受け部１０３の上方に達し、係止受け部１０３の上方に達した粉塵が見返し１００の外周壁１０１と表ガラス１０５の隙間を介して開口部１００ａに侵入するという問題がある。
【０００６】
ここで、粉塵の侵入を防止するために、係止受け部１０３のアーム貫通孔１０２の幅Ｗを極力狭くすることが考えられる。しかし、アーム貫通孔１０２の幅Ｗを狭くすると、弾性係止アーム１０６の弾性撓み変形が制限される。弾性係止アーム１０６の弾性撓み変形が制限を受けると、見返し１００への組み付け性が悪くなる。
【０００７】
そこで、本発明の目的は、組付体のベース体への組み付け性を維持しつつ防塵性を向上させることができる係止構造を提供することを目的とする。
【課題を解決するための手段】
【０００８】
請求項１記載の発明は、ベース体と、前記ベース体に組み付けられる組付体とのいずれか一方の外周面に、アーム貫通孔を有する係止受け部を設け、他方の外周面に、撓み変形自在で、且つ、爪部を有する弾性係止アームを設け、前記弾性係止アームを前記アーム貫通孔に挿入し、前記爪部が前記アーム貫通孔を抜けた位置で前記弾性係止アームの撓み復帰変形により前記爪部が前記係止受け部に係止する係止構造において、前記係止受け部には、前記アーム貫通孔より突出した前記爪部を覆う防塵用壁部を設けたことを特徴とする。
【０００９】
請求項２記載の発明は、請求項１記載の係止構造であって、前記防塵用壁部には、前記弾性係止アームの移動エリア内で、且つ、前記弾性係止アームが撓み変形する側に凹面を設けたことを特徴とする。
【００１０】
請求項３記載の発明は、請求項１又は請求項２記載の係止構造であって、前記防塵用壁部には、前記アーム貫通孔より突出した前記爪部を露出する爪開口部を設けたことを特徴とする。
【００１１】
請求項４記載の発明は、請求項１乃至請求項３記載のいずれか一項に記載された係止構造であって、前記防塵用壁部は、前記爪部の裏面側に配置された裏面壁部と、前記爪部の左右の側面側に配置された一対の側面壁部と、前記爪部の底面側に配置された底面壁部とを備えたことを特徴とする。
【００１２】
請求項５の発明は、請求項１乃至請求項４記載のいずれか一項に記載された係止構造であって、前記ベース体は、メータ機器の見返しであり、前記組付体は、前記見返しに装着される表ガラスであることを特徴とする。
【発明の効果】
【００１３】
請求項１記載の発明によれば、粉塵が係止受け部の周辺からアーム貫通孔の隙間に入るのを防塵用壁部が阻止するため、係止受け部のアーム貫通孔の幅を狭く設定しなくても粉塵の侵入を抑制できる。したがって、請求項１記載の発明によれば、組付体のベース体への組み付け性を維持しつつ防塵性を向上させることができる。また、請求項１記載の発明によれば、防塵用壁部が爪部への不用意な接触を防止するプロテクタとしても機能するため、作業者が意図しない不用意な爪部の係止解除を防止できる。
【００１４】
請求項２記載の発明によれば、請求項１の発明の効果に加え、凹面の位置では弾性係止アームの弾性撓みスペースを十分に確保し、且つ凹面以外の面では弾性係止アームとの隙間を小さくできるため、粉塵のアーム貫通孔への侵入確率を低減することができる。したがって、組付体のベース体への組み付け性を維持しつつ防塵性を更に向上させることができる。
【００１５】
請求項３記載の発明によれば、請求項１又は請求項２の発明の効果に加え、作業者が爪開口部に指等を挿入して爪部を容易に押圧できる。したがって、爪部の係止離脱作業を容易に行うことができる。
【００１６】
請求項４記載の発明によれば、請求項１〜請求項３の発明の効果に加え、係止受け部の前面側以外からの粉塵の侵入を阻止できるため、防塵性に非常に優れている。
【００１７】
請求項５記載の発明によれば、メータ機器の見返しに表ガラスを組み付ける場合の係止構造に、請求項１〜請求項４の発明と同様の効果が得られる。
【発明を実施するための最良の形態】
【００１８】
以下、本発明の実施の形態を図面に基づいて説明する。
【００１９】
図１〜図３は本発明の係止構造をメータ機器の係止構造に適用した実施の形態を示している。図１はメータ機器の見返し２と表ガラス１とを組み付ける前の要部斜視図、図２は弾性係止アーム３をアーム貫通孔７に挿入し、爪部４が係止受け部６に係止した状態を示す断面図、図３は弾性係止アーム３の爪部４が係止受け部６に係止する直前もしくは係止解除された状態を示す断面図である。
【００２０】
図１に示すように、本実施の形態では、ベース体である見返し２に、組付体である表ガラス１が、見返し２の開口部２ａを塞ぐ状態で組み付けされるようになっている。
【００２１】
図１に示すように、表ガラス１の所定の位置には、撓み変形自在な弾性係止アーム３が設けられている。この弾性係止アーム３の先端には爪部４が設けられている。爪部４は、先端側に向かって徐々に幅を狭くするテーパ状に設けられている。爪部４の後端面４ａは、弾性係止アーム３の延びる方向に対して垂直をなす面として形成されている。
【００２２】
見返し２は、図示しないメータ表示部などが設けられた開口部２ａを有する。この開口部２ａを形成する外周壁５の外周面の適所には、略箱状の係止受け部６が設けられている。係止受け部６には、上方から下方に貫通するアーム貫通孔７が設けられている。係止受け部６の下方には、弾性係止アーム３を組み付けたときに、アーム貫通孔７より突出する爪部４を囲む防塵用壁部８が一体的に設けられている。防塵用壁部８は、爪部４の裏面側に配置された裏面壁部８ａと、爪部４の両側の側面側に配置された一対の側面壁部８ｂ，８ｂと、爪部４の底面側に配置された底面壁部８ｃとから構成されている。
【００２３】
裏面壁部８ａは、弾性係止アーム３が撓み変形する側に配置されている。この裏面壁部８ａには、弾性係止アーム３の移動エリア内に他の面より窪んだ凹面９が設けられている。
【００２４】
防塵用壁部８には、弾性係止アーム３を組み付けたときに、アーム貫通孔７より突出した爪部４が露出する爪開口部１０が設けられている。爪開口部１０は、弾性係止アーム３の撓み復帰変形する方向Ｂ２（図３に示す）に開口している。爪開口部１０の寸法は、作業者の指を挿入可能な大きさに設定されている。
【００２５】
このような構成において、図３に示すように、表ガラス１の弾性係止アーム３を見返し２のアーム貫通孔７に挿入すると、弾性係止アーム３が弾性撓み変形しつつ見返し２のアーム貫通孔７内を進み、弾性係止アーム３の爪部４がアーム貫通孔７を抜けると、図２に示すように、弾性係止アーム３が撓み復帰変形して爪部４が係止受け部６に係止される。これにより、表ガラス１が見返し２に組み付けされ、見返し２の開口部２ａは表ガラス１で塞がれる。
【００２６】
図２の矢印ａで示すように、係止受け部６の下方等の近辺にある粉塵が係止受け部６のアーム貫通孔７に向かうと、粉塵が防塵用壁部８に突き当たる。防塵用壁部８に突き当たった粉塵は防塵用壁部８の外面に沿った方向に方向変更される。つまり、粉塵が係止受け部６の周囲からアーム貫通孔７の隙間に入るのを防塵用壁部８が阻止する。したがって、係止受け部６のアーム貫通孔７の幅Ｗを狭く設定しなくても粉塵の侵入を阻止できるため、表ガラス１の見返し２への組み付け性を維持しつつ防塵性を向上させることができる。
【００２７】
防塵用壁部８は、アーム貫通孔７より突出した爪部４の周囲を覆っている。つまり、防塵用壁部８は爪部４への不用意な接触を防止するプロテクタとしても機能する。従って、作業者が意図しない不用意な爪部４の係止解除を防止できる。
【００２８】
防塵用壁部８には、弾性係止アーム３の移動エリア内で、且つ、弾性係止アーム３が撓み変形する側に凹面９を設けたことにより、凹面９の位置では弾性係止アーム３の弾性撓みスペースを十分に確保し、且つ、凹面９以外の面では弾性係止アームとの隙間δ１（図２）を狭くできるため、粉塵のアーム貫通孔７への侵入確率を低減することができる。したがって、見返し２と表ガラス１との組み付け性を維持しつつ防塵性を更に向上させることができる。
【００２９】
防塵用壁部８には、アーム貫通孔７より突出した爪部４を露出する爪開口部１０を設けたことにより、作業者が爪開口部１０に指等を挿入して爪部４を容易に押圧できる。したがって、爪部４の係止離脱作業を従来例と同様に容易にできる。
【００３０】
防塵用壁部８は、爪部４の裏面側に配置された裏面壁部８ａと、爪部４の両側の側面側に配置された一対の側面壁部８ｂ，８ｂと、爪部４の底面側に配置された底面壁部８ｃとから構成されるため、係止受け部６の前面側以外からの粉塵の侵入を阻止できるため、防塵性に非常に優れている。
【００３１】
なお、上述の実施の形態では、ベース体がメータ機器の見返し２で、組付体が表ガラス１である場合を示したが、メータ機器のケースと表ガラスとを組み付ける場合や、ケースと見返しとを組み付ける場合や、これら以外のもの同士を組み付ける場合にも本発明を適用できることはもちろんである。
【００３２】
また、上述の実施の形態では、組付体である表ガラス１側に弾性係止アーム３を、ベース体である見返し２側に係止受け部６を設けたが、表ガラス１側に係止受け部６を、見返し２側に弾性係止アーム３を設けてもよい。
【図面の簡単な説明】
【００３３】
【図１】本発明の実施の形態に係る係止構造における見返しと表ガラスの組み付け前の要部斜視図である。
【図２】本発明の実施の形態に係る係止構造における弾性係止アームの爪部が係止受け部に係止した状態を示す断面図である。
【図３】本発明の実施の形態に係る係止構造において、弾性係止アームの爪部が係止受け部に係止する直前もしくは係止解除された状態を示す断面図である。
【図４】従来例の係止構造の断面図である。
【符号の説明】
【００３４】
１  表ガラス（組付体）
２  見返し（ベース体）
２ａ  開口部
３  弾性係止アーム
４  爪部
６  係止受け部
７  アーム貫通孔
８  防塵用壁部
８ａ  裏面壁部
８ｂ  側面壁部
８ｃ  底面壁部
９ａ  凹面
１０  爪開口部
Ｂ１  弾性係止アームの撓み変形する方向
Ｂ２  弾性係止アームの撓み復帰変形する方向
【図１】
2006071361.tif 000003
【図２】
2006071361.tif 000004
【図３】
2006071361.tif 000005
【図４】
2006071361.tif 000006